(57)【要約】      （修正有）【課題】スポーツ観戦の楽しさだったり応援用具自体の美しさだったりを、簡易な構成で製造が楽でコストが高くならないようにして実現することが可能なスポーツ応援用具を提供する。【解決手段】中空のスティック１がその先端部分にポンポン２を備え、スティック１にオリジナルかつ美麗な印刷物による紙筒３が被っており、紙筒３の外側に透明なシュリンクフィルム４が熱収縮処理により密着している、スポーツ応援用具とした。【選択図】図１
2020065895.tif 000002
【特許請求の範囲】
【請求項１】
非中空のスティック状体がポンポンを備えており、前記非中空のスティック状体の外周部がシュリンクフィルムで覆われていることを特徴とする、スポーツ応援用具。
【請求項２】
中空のスティック状体がポンポンを備えており、前記中空のスティック状体の外周部がシュリンクフィルムで覆われていることを特徴とする、スポーツ応援用具。
【請求項３】
中空のスティック状体が吹き口と拡声口とを備えたメガホンであり、該メガホンがポンポンを備えていると共に、メガホンの外周部がシュリンクフィルムで覆われていることを特徴とする、スポーツ応援用具。
【請求項４】
前記シュリンクフィルムに印刷が施されている、請求項１乃至請求項３の何れか一に記載のスポーツ応援用具。
【請求項５】
前記シュリンクフィルムが透明であり、該透明シュリンクフィルムと前記スティック状体との間に印刷された別のフィルムを有している、請求項１乃至請求項３の何れか一に記載のスポーツ応援用具。
【請求項６】
前記非中空のスティック状体がその内部に前記ポンポンの収納部を備えている、請求項１に記載のスポーツ応援用具。
【請求項７】
前記中空のスティック状体がその内部に前記ポンポンの収納部を備えている、請求項２に記載のスポーツ応援用具。
【請求項８】
前記中空のメガホンがその内部に前記ポンポンの収納部を備えている、請求項３に記載のスポーツ応援用具。
【発明の詳細な説明】
【技術分野】
【０００１】  この発明は振って遊べるポンポンを備えると共に、本体部分が美観を呈して、スポーツ観戦などに用いることが出来る応援用具に関する。
【背景技術】
【０００２】  一般的に玉房或いはポンポンと称される応援用具は、無数の合成樹脂製のテープの束を中程で結んで成るものであり、この部位をチアガールなどが握り手首を返すように振るなどしてスポーツの応援に用いられている。またこのようなポンポンをグリップに取り付けたものもある。この一例として、実開平０２−１３５０７０号の「玉房用取手」や実公平０７−０２５９９９号の「スポーツの応援，観戦等用の玉房用具」を上げる。
【先行技術文献】
【特許文献】
【０００３】
【特許文献１】実開平０２−１３５０７０号公報
【特許文献２】実公平０７−０２５９９９号公報
【発明の概要】
【発明が解決しようとする課題】
【０００４】  上記実開平０２−１３５０７０号も実公平０７−０２５９９９号もグリップ部分を有しており、グリップ部分を持ってポンポンを振るようにしている。グリップ部分があることによってスポーツ観戦者が取り扱いやすいものになっている。しかしながら当発明者は、ポンポンの美観ばかりに目が行っていると感じた。そこでグリップ部分にも目が行くように、新たな実用的な用途を見出すと共に、グリップ部分をより美観を呈するものにしたいと考えた。それによりスポーツ観戦がさらに楽しいものになるに違いない。【０００５】  とは言え、このことを実現するために構造が複雑だったり、製造に手間が掛かったり、コストが高くなるようでは却って問題である。【０００６】  そこでこの発明は上述のような問題点を解決して、スポーツ観戦の楽しさだったり応援用具自体の美しさだったりを、簡易な構成で製造が楽でコストが高くならないようにして実現することが出来るような、そうしたスポーツ応援用具の提供を目的とする。
【課題を解決するための手段】
【０００７】  上記の課題は、非中空のスティック状体がポンポンを備えており、前記非中空のスティック状体の外周部がシュリンクフィルムで覆われている、スポーツ応援用具とすることにより達成される。【０００８】  ポンポンを備えた本体部分である所の非中空のスティック状体は、その外周部がシュリンクフィルムで覆われている。シュリンクフィルムは熱収縮性のある合成樹脂フィルムであり、本体部分に密着して美しい肌合いを見せる。このような本体部分は振って応援するだけで楽しいものである。これにポンポン部分の華やかさが加わる。更にこのようなスポーツ応援用具の２組を用い、拍子を取りつつ互いを打撃し、リズム音を発生させて楽しく応援することも可能である。このような用途を実現するのは本体部分の設計如何である。しかも本体部分をシュリンクフィルムで覆うだけの簡易な構成であるため、製造は容易であってその製造コストも比較的に安くて済む。【０００９】  シュリンクフィルムは美しい肌合いを見せるため、このままでも良いのであるが、更に印刷を施すようにしても良い。例えばチームカラーで色付けしたり、チームのロゴやマスコットを印刷するのである。或いは宣伝広告を印刷することも可能である。【００１０】  なおシュリンクフィルムの印刷による作用効果は、以下に説明する２種類の発明に付いても同様に得ることが出来る。【００１１】  次に上記の課題は、中空のスティック状体がポンポンを備えており、中空のスティック状体の外周部がシュリンクフィルムで覆われている、スポーツ応援用具とすることにより達成される。【００１２】  上述したような各種の作用効果に加えて、本体部分である所のスティック状体が中空であると、同一素材であれば非中空のものに比してより軽量になる。従って振って応援する動作が軽いと言う利点がある。なお素材によってはスティック状体が中空であると、２組を用いて打撃した際に反響音が生じてより効果的となる。【００１３】  次に上記課題は、中空のスティック状体が吹き口と拡声口とを備えたメガホンであり、このメガホンがポンポンを備えていると共に、メガホンの外周部がシュリンクフィルムで覆われている、スポーツ応援用具とすることにより達成される。【００１４】  上述のような各種作用効果に加えて、ポンポンを備えた本体部分である所のスティック状体は、メガホンとして使用することが出来る。本体部分の吹き口に向かって声援を送ると、声は中空部分を通り、拡声口からある程度の指向性を伴って放出される。従ってメガホンによる声援が可能になる。【００１５】  さて上述した３種類の発明に付いて、前記シュリンクフィルムが透明であり、この透明シュリンクフィルムと前記スティック状体との間に印刷された別のフィルムを有しているものとすることが出来る。なおシュリンクフィルムは透明な素材から成るが、ここで言う透明素材とは透明または半透明な素材のことである。着色透明などもこのカテゴリー内のものである。【００１６】  上記印刷された別のフィルムには、印刷性に優れた（印刷済みの）紙も含まれる。この構成によれば、スティック状体の外周面に巻かれた、印刷された別のフィルムに表わされた文字や図柄が、外側の透明なシュリンクフィルムを透してクリア���見られる。なお半透明な素材の場合でも一定の透明感は得られる。【００１７】  次に上述した非中空のスティック状体がポンポンを備えているものに付いて、この非中空のスティック状体がその内部に前記ポンポンの収納部を備えているものとすることが出来る。また上述した中空のスティック状体がポンポンを備えているものに付いて、この中空のスティック状体がその内部に前記ポンポンの収納部を備えているものとすることが出来る。また上述した中空のスティック状体が吹き口と拡声口とを備えたメガホンであり、このメガホンがポンポンを備えているものに付いて、このメガホンがその内部に前記ポンポンの収納部を備えているものとすることが出来る。【００１８】  売り場での陳列やユーザーが使用後に持ち帰る場合などで、まとまり感のないポンポンの収納部を備えていると便利である。なおポンポンの合成樹脂製のテープは千切れやすかったりするが、収納部に納められていれば安心である。
【発明の効果】
【００１９】  この発明によれば、華やかなポンポンを備えた本体部分を持ち、これを振って応援すれば、スポーツ応援の楽しい気持ちが増幅される。２本１組で用いる場合には、拍子を取りつつ互いを打撃し、リズム音を発生させて楽しく応援することが可能である。【００２０】  本体部分に密着しているシュリンクフィルムは、美しい肌合いが特長である。またこのスポーツ応援用具は、構成がシンプルであり、製造が容易なことから、比較的低コストで製造することが出来る。
【図面の簡単な説明】
【００２１】
【図１】  実施例１のスポーツ応援用具の説明図である。
【図２】  ポンポン組立キャップ１２の説明図である。
【図３】  スティック１をＸ−Ｘ線断面で見た説明図である。
【図４】  実施例２のスポーツ応援用具の説明図である。
【図５】  実施例３のスポーツ応援用具の説明図である。
【図６】  ポンポン組立キャップ６１の説明図である。
【発明を実施するための形態】
【００２２】  以下この発明の３種の実施例を図面に基づいて説明するが、この発明はこれ等の実施例に限定されるものではない。
【実施例１】
【００２３】  図１乃至図３はこの実施例のスポーツ応援用具を表す。ポリエチレン製の中空のスティック１はその一端部に紐通し孔１０のあるキャップが取り付けられており、他端部に装着凸部１１が形成されている。この装着凸部１１には後述するポンポン組立キャップ１２が装着される。【００２４】  スティック１には紙の印刷物が巻き付けられて紙筒３となっており、この外側に透明なシュリンクフィルム４が熱収縮処理によって密着されている。従ってシュリンクフィルム４を透して紙筒３を、すなわち美麗な印刷物の印刷内容を見ることが出来る。オリジナルデザインによるこの実施例のスポーツ応援用具を安価かつ小ロットにて生産し提供することが可能となっている。【００２５】  ポンポン組立キャップ１２は図１に断面図で表されている通り、内側に装着凸部１１を受け入れて止めるための差込口１３を、外側（最先端側）にポンポン２を納めるための円形の収容壁１５を、また差込口１３と収容壁１５との間を仕切る壁面に２つの結束バンド通し孔１４を備えている。ポンポン２は無数の細切りテープの束がその中程を結束バンド２０で結ばれているが、この結束バンド２０を２つの上記結束バンド通し孔１４に通した後に固く結束することによって、ポンポン２をポンポン組立キャップ１２の収容壁１５の中にしっかりと取り付けている。ポンポン２は要望に応じて種々の色のものを本体部分に組み付けることが可能である。【００２６】  このポンポン２が固定されたポンポン組立キャップ１２は、スティック１にシュリンクフィルム４が熱収縮処理によって密着された後に差込口１３からスティック１の装着凸部１１に嵌め込むようにして取り付けられる。ポンポン２を構成する光沢処理された細切りテープの束がシュリンクフィルム４の熱収縮処理時の熱に弱いため、このような組み立て構成を採用している。【００２７】  この実施例のスポーツ応援用具は、本体部分である所の中空のスティック１を手で握るようにして振り、その先端部のポンポン２によって快活さや華やさを表現することが出来る。スティック１の先端部にポンポン２が付いているので、小さな手首の動きでキラキラ揺らすことが出来、良く目立つ応援アピールになる。この実施例のスポーツ応援用具を２本揃えておけば、スティック１，１で拍子を取りつつ互いを叩き合い、リズム音を発生させて楽しく応援することが出来る。なお装着凸部１１と差込口１３とを固着せずに着脱自在としておくことにより、種々の色のポンポン２を付け替えて楽しむことが可能になる。また応援休憩時には、紐通し孔１０に通した紐にて首から下げるようにすれば良い。
【実施例２】
【００２８】  図４はこの実施例のスポーツ応援用具を表す。発泡スチロール製の非中空のスティック５はバット形状を模したものであり、その外周部に美麗な印刷が施されたシュリンクフィルム４０が熱収縮処理によって密着している。またスティック５の先端部分にはポンポン２１が、これを結束した所の、逆止突起を有する逆止ピン２２をスティック５の内奥まで刺し込むようにして、しっかりと取り付けられている。【００２９】  スティック５は非中空であるも発泡スチロール製であるために軽量であって、長時間の使用でも比較的に疲れにくい。また外周部にシュリンクフィルム４０が熱収縮処理により密着していることで、スティック５の強度が増している。而してスティック５を軽く振ればポンポン２１が大きく揺れて一きわ目立つ応援アピールになる。
【実施例３】
【００３０】  図５及び図６はこの実施例のスポーツ応援用具を表す。本体部分である野球のバットを模したポリエチレン製の拡声筒６は、一端部側が握柄６２となっており、一端部に吹き口６０が形成されている。また拡声筒６の他端部には後述するポンポン組立キャップ６１が取り付けられている。【００３１】  中空の拡声筒６は、上記握柄６２の部位を残して、外周部に美麗な印刷が施されたシュリンクフィルム４１が熱収縮処理によって密着される。このシュリンクフィルム４１には例えばチームロゴやチームマスコットが印刷される。【００３２】  シュリンクフィルム４１の熱収縮処理時の熱に弱いポンポン２３が固定されているポンポン組立キャップ６１は、シュリンクフィルム４１の被覆を終えた後の拡声筒６の他端部に取り付けられる。ポンポン２３は無数の細切りテープの束がその中程を図示しない結束バンドで結ばれているが、この結束バンドを図６で表した２つの結束バンド通し孔６３に通した後に固く結束することによって、ポンポン２３をポンポン組立キャップ６１の収容壁６４の中にしっかりと取り付けている。【００３３】  このポンポン組立キャップ６１には更に、図６のように収容壁６４の周囲の４回対称の位置に拡声口６５が開口されている。従ってこの実施例のスポーツ応援用具は、握柄６２を握り吹き口６０に向かって声援することにより、その声が中空の拡声筒６を通り拡声口６５より前方に放出される。これは恰もメガホンのようである。また握柄６２を握って軽く振ればポンポン２３を大きく揺らしての応援が出来る。【００３４】  さてこの発明は上述した実施例に限定されないから、例えばポンポンの細切りテープに紙を用いるなどの熱対策を講じているのであれば、本体部分に於けるシュリンクフィルムの熱収縮処理をいつの時点で行うかは、あまり意識しないでも済むようになる。すなわち構成の自由度が高まる。また一般的なポンポンを構成する細切りテープにはアルミニウム蒸着が施されており、キラキラと光を反射する作用があるが、アルミニウム蒸着が施されていないような細切りテープを用いたポンポンであっても十分に美観を表すことが出来るため、この辺りは任意設計事項である。【００３５】  なお図示はしないが、上述した中空のスティック状体に於いて、その内部にポンポンの収納部を備えているものとすることが出来る。これには例えば実施例１にあっては、上記実公平０７−０２５９９９号の構成が十分参考になる。また例えば実施例２にあっては、発泡スチロール製のスティック５をくり抜いて収納部を設けることが出来る。また例えば実施例３にあっては、ポンポン組立キャップ６１の前後を反して拡声筒６の他端部に取り付け得るように構成すれば良い。
【産業上の利用可能性】
【００３６】  この発明のスポーツ応援用具は何れも、本体部分にシュリンクフィルムを熱収縮処理によって密着させているだけの簡易構造であるため、美麗なオリジナルデザインになるものを安価かつ小ロットにて生産し提供することが可能であり、かつシュリンクフィルム部分とポンポン部分とが美しさを競い合うように見えることから、野球場などのスポーツ施設やコンサートやパーティーなどで大いに利用されるであろう。
【符号の説明】
【００３７】１    スティック
１０  紐通し孔
１１  装着凸部
１２  ポンポン組立キャップ
１３  差込口
１４  結束バンド通し孔
１５  収容壁
２    ポンポン
２０  結束バンド
２１  ポンポン
２２  逆止ピン
２３  ポンポン
３    紙筒
４    シュリンクフィルム
４０  シュリンクフィルム
４１  シュリンクフィルム
５    スティック
６    拡声筒
６０  吹き口
６１  ポンポン組立キャップ
６２  握柄
６３  結束バンド通し孔
６４  収容壁
６５  拡声口
【図１】
2020065895.tif 000003
【図２】
2020065895.tif 000004
【図３】
2020065895.tif 000005
【図４】
2020065895.tif 000006
【図５】
2020065895.tif 000007
【図６】
2020065895.tif 000008